(57)【要約】      （修正有）【課題】プラグ使用の角度を改変できるほか使用角度を改変しないままであっても、使用者は軽い力でプラグを容易に抜け出すことができる省力回転式プラグのベース組を提供する。【解決手段】本体１１と回転台１２と押し込み具１３とを含む。本体は基部１１１を有し、基部両側の同じ方向に支持アーム１１２を延設し、回転台が２つの支持アームの間に枢接していて、かつ回転台は本体の基部を離れる他側の表面に切り込みを付けて収容溝１２１を設け、押し込み具は枢接部と、押し込み部１３２と、係止部１３３とを含む、枢接部を回転台の収容溝に枢接し、押し込み部が回転台の表面に延ばしており、係止部は回転台の収容溝に位置していて、かつ、係止部は押し込み具が枢接部をめぐらして枢転されると共に、回転移動して収容溝から抜け出して、使用者は軽い力でプラグを抜け出すことができる。【選択図】図１
0003199882.tif 000002
【実用新案登録請求の範囲】
【請求項１】
省力回転式プラグのベース組であって、前記ベース組は少なくとも、本体と回転台と押し込み具とを備え、
前記本体は基部を有し、前記基部両側の同じ方向に支持アームを延設され、
前記回転台の両側を前記本体の前記２つの支持アームの間に枢接していて、かつ前記本体を離れる前記基部他側の表面に切り込みを付けて収容溝を設け、
前記押し込み具は枢接部と押し込み部と係止部とを含み、前記枢接部を前記回転台の前記収容溝内部に枢接し、前記押し込み部は前記回転台の表面に延ばされ、前記係止部は前記回転台の前記収容溝の内部に位置していて、かつ、前記係止部は前記押し込み具は前記枢接部をめぐらして枢転しながら、前記収容溝から抜け出されることを特徴とする、省力回転式プラグのベース組。
【請求項２】
前記押し込み具の前記枢接部と前記押し込み部を前記押し込み具の両側に設け、前記係止部を前記押し込み具の前記枢接部と、前記押し込み部との間から、前記本体の前記基部の他側に向かって凸設して形成することによって、前記押し込み部は外力の押込みにより、前記押し込み具が前記枢接部をめぐらして、前記本体の前記基部の他側に向かって枢転しながら、前記係止部が回転移動して、前記回転台の前記収容溝から抜け出すことを特徴とする、請求項１記載の省力回転式プラグのベース組。
【請求項３】
前記押し込み具の前記枢接部と前記押し込み部を前記押し込み具の両側に設け、前記係止部を前記押し込み具の前記枢接部と、前記押し込み部との間から、前記本体の前記基部の他側に向かって凸設して形成することによって、前記押し込み部が外力の押込みにより、前記押し込み具が前記枢接部をめぐらして、前記本体の前記基部の他側に向かって枢転し、前記係止部が回転移動して、前記回転台の前記収容溝から抜け出すことを特徴とする、請求項１記載の省力回転式プラグのベース組。
【請求項４】
前記押し込み具の前記押し込み部と前記係止部を前記押し込み具の両側に設け、前記枢接部を前記押し込み具の前記押し込み部と前記係止部との間に設けることによって、前記押し込み部が外力を受けて、前記押し込み具を前記枢接部が前記本体の前記基部の側面に向かって枢転し、前記係止部が回転移動して、前記回転台の前記収容溝から抜け出すことを特徴とする、請求項１記載の省力回転式プラグのベース組。
【請求項５】
前記押し込み具を複数に設けていて、かつ前記押し込み具を前記回転台との前記収容溝の上下両側に対向して設け、前記それぞれの押し込み部と、前記係止部を前記押し込み具の両側に設け、前記枢接部を前記押し込み具の前記押し込み具と前記係止部との間に設けることによって、前記２つの押し込み部が外力を受けて、前記それぞれの押し込み具を前記枢接部が前記本体の前記基部の側面に向かって枢転し、前記２つの係止部が回転移動して、前記回転台の前記収容溝から抜け出すことを特徴とする、請求項１記載の省力回転式プラグのベース組。
【考案の詳細な説明】
【技術分野】
【０００１】
本考案は、省力回転式プラグのベース組に関し、特に回転式プラグのベース組の使用角度を変更することなく、使用者が軽い力で簡単に抜け出すことができる省力回転式プラグのベース組に係る。
【背景技術】
【０００２】
プラグをとプラグは、主に電気につないで使用するものである。ほとんどのコンセントが建築物の壁の表面に取付けられている。さらに、プラグをコンセントにつなげた後、プラグが壁の表面から突き出されるため、壁の表面付近に置く物を壁の表面から一定距離を引き離す必要がある。よって、業者から回転プラグは考案されている。そのうち、中華民国特許公告第Ｉ３６１５２７号（特許文献１）によれば、回転プラグであって、主に本体が回転台をめぐらして回転し、回転台に接続する導電端子をコンセントに挿入した後、本体を回して壁の表面に近づけさせ、壁の表面付近に置く物品が壁の表面に近づくことができる。さらに、係る特許の本体にはとおり穴を設けられ、使用者はプラグを簡単に抜け出すことができる。
【先行技術文献】
【特許文献】
【０００３】
【特許文献１】中華民国特許公告第Ｉ３６１５２７号
【考案の概要】
【考案が解決しようとする課題】
【０００４】
しかし、係る方法は以下のような欠点が残る。
【０００５】
イ、     使用者がおり穴から抜け出すときは、まず本体を回して、プラグを壁の表面からもっと突き出して置かなければならない。もし、壁の表面に物品が置かれている場合には、物品をあらかじめに移動しなければならず、使用者に不便を与えてしまう。
【０００６】
ロ、     係るとおり穴は使用者が指の固定に便利を提供し、プラグをスムーズに抜け出すことはできるが、省力効果を持たない。もし、使用者が力を不足していれば、プラグを抜け出せない問題が起きる。
【０００７】
本考案の主な目的は、回転式プラグのベース組を適用することによって、プラグ使用の角度を改変できるほか使用角度を改変しないままであっても、使用者は軽い力でプラグを容易に抜け出す効果を提供するにある。
【課題を解決するための手段】
【０００８】
前述の目的を達成するため、本考案の省力回転式プラグのベース組は、本体と回転台と押し込み具とを含む。前記本体は基部を有し、基部両側の同じ方向に支持アームを延設しており、回転台を２つの支持アームの間に枢接していて、かつ前記回転台が本体の基部を離れる他側の表面に切り込みを付けて収容溝を設け、前記押し込み具は枢接部と押し込み部と係止部とを含む。前記枢接部を回転台の収容溝に枢接し、前記押し込み部は回転台の表面に延ばし、前記係止部は回転台の収容溝に位置していて、かつ、係止部は押し込み具が枢接部をめぐらして枢転されると共に、回転移動して収容溝から抜け出して、使用者は軽い力でプラグを抜け出すことができる。
【図面の簡単な説明】
【０００９】
【図１】本考案の第１実施例による立体外観図である。
【図２】本考案の第１実施例による局所構成品の立体外観図である。
【図３】本考案の第１実施例による局所構成品の立体分解図である。
【図４】本考案の第１実施例による回転台と押し込み具の立体外観図である。
【図５】本考案の第１実施例による回転台と押し込み具の立体分解図である。
【図６】本考案の第１実施例において、使用するときの動作を示す図である（その１）である。
【図７】本考案の第１実施例において、使用するときの動作を示す図である（その２）である。
【図８】本考案の第２実施例による回転台と押し込み具の立体外観図である。
【図９】本考案の第２実施例による回転台と押し込み具の立体分解図である。
【図１０】本考案の第２実施例において、使用するときの動作を示す図である（その１）である。
【図１１】本考案第２実施例において、使用するときの動作を示す図である（その２）である。
【図１２】本考案の第３実施例による回転台と押し込み具の立体外観図である。
【図１３】本考案の第３実施例による回転台と押し込み具の立体分解図である。
【図１４】本考案の第３実施例において、使用するときの動作を示す図である（その１）である。
【図１５】本考案の第３実施例において、使用するときの動作を示す図である（その２）である。
【図１６】本考案の第４実施例による回転台と押し込み具の立体外観図である。
【図１７】本考案の第４実施例による回転台と押し込み具の立体分解図である。
【図１８】本考案の第４実施例において、使用時の動作態様図（その１）である。
【図１９】本考の第４実施例において、使用時の動作態様図（その２）である。
【図２０】本考案の実施例５による立体外観図である。
【考案を実施するための形態】
【００１０】
以下、添付図面を参照して本考案の実施の形態を詳細に説明する。
【実施例１】
【００１１】
図１と図４と図５を参照する。本考案の第１実施例において、ベース組１は本体１１と回転台１２と押し込み具１３と枢接ピン１４とを設けている。そのうち、
【００１２】
本体１１は基部１１１を有し、基部１１１両側の同じ方向に支持アーム１１２を延設していて、かつ、基部１１１が支持アーム１１２を離れる他側に電源コード１１３が接続されている。
【００１３】
回転台１２の両側を本体１１の２つの支持アーム１１２の間に枢接し、回転台１２は本体１１の基部１１１を離れる他側の表面に切り込みを付けて収容溝１２１を設けていて、かつ、回転台１２両側の表面にそれぞれとおり穴１２２を設け、取付ピン１２３が凸設され、とおり穴１２２は収容溝１２１に連絡されている。
【００１４】
係る押し込み具１３は枢接部１３１を有し、押し込み部１３２と係止部１３３、枢接部１３１と押し込み部１３２とを押し込み具１３の両側に設け、係止部１３３を押し込み具１３の枢接部１３１と押し込み部１３２との間から本体１１の基部１１１を離れる他側に凸設して形成し、枢接部１３１と、押し込み部１３２が回転台１２の収容溝１２１内部に位置していて、かつ枢接部１３１に枢接穴１３４を設け、枢接穴１３４が回転台１２のとおり穴１２２と対向して設ける。
【００１５】
係る枢接ピン１４の両端を回転台１２のとおり穴１２２に固定することによって、押し込み具１３の枢接穴１３４が枢接ピン１４に枢接される。
【００１６】
引き続き、図１ないし図３を参照する。本考案の第１実施例において、２つの端子組５がさらに設けられている。それぞれの端子組５は第１導電端子５１と、第２導電端子５２とを有し、第１導電端子５１側面に固定穴５１１を設け、固定穴５１１を回転台１２の取付ピン１２３に固定しており、第２導電端子５２の一端を第１導電端子５１に枢接し、他端は本体１１の電源コード１１３と電気接続していて、かつ、第２導電端子５２を本体１１の内部に取付ける。
【００１７】
引き続き、図６と図７とを参照する。本考案の第１実施例は使用するときに、端子組５の第１導電端子５１を壁の表面７のコンセント（図示せず）に挿入して置き、ベース組１の回転台１２を壁の表面７に係止させる。このとき、本体１１は回転台１２をめぐらして回転しながら壁の表面７に近寄せられる。使用者がベース組１を抜け出して、第１導電端子５１をコンセントから引き離す場合には、押し込み具１３の押し込み部１３２を壁の表面７に押して移動させ、押し込み具１３を枢接部１３１が本体１１の基部１１１を離れる他側に枢転して、係止部１３３を連動回転して、回転台１２の収容溝１２１から抜け出し、係止部１３３を収容溝１２１から抜け出した後は壁の表面７に係止され、てこの原理により、本体１１を壁の表面７から離れる方向に押込むことによって、使用者は軽い力でベース組１を抜け出すことができる。
【実施例２】
【００１８】
図８ないし図１１を参照する。本考案の第２実施例と前述第１実施例と異なる点は、係るベース組２の押し込み具２３の押し込み部２３２は本体２１寄りの基部２１１側に向かって延ばされている。
【実施例３】
【００１９】
引き続き図１２ないし図１５を参照する。本考案の第３実施例と前述第１実施例と異なる点は、係るベース組３の押し込み具３３にある。押し込み部３３２と係止部３３３とを押し込み具３３の両側に設け、枢接部３３１を押し込み具３３の押し込み部３３２と係止部３３３との間に設ける。使用者がベース組３を抜け出し第１導電端子５１をコンセントから引き離すには、押し込み具３３の押し込み部３３２を壁の表面７から離れる方向に押込むことによって、押し込み具３３が枢接部３３１をめぐらして、本体３１寄りの基部３１１側面に枢転し、係止部３３３を連動回転して回転台３２の収容溝３２１から抜け出す。なお、係止部３３３を収容溝３２１より抜け出すときは、壁の表面７に係止され、てこの原理により本体３１を壁の表面７から離れる方向に押込むことによって、使用者は軽い力でベース組３を容易に抜け出すことができる。
【実施例４】
【００２０】
引き続き図１６ないし図１９を参照する。本考案の第４実施例と前述第１実施例と異なる点は、係るベース組４の押し込み具４３は複数に設けていて、かつ、押し込み具４３を回転台４２の収容溝４２１の上下両側に対向して取付け、それぞれの押し込み具４３の押し込み部４３２と、係止部４３３とを押し込み具４３の両側に設け、枢接部４３１を押し込み具４３の押し込み部４３２と係止部４３３との間に設ける。使用者がベース組４を抜け出し、第１導電端子５１をコンセントから抜け出す場合には、２つの押し込み具４３の押し込み部４３２を壁の表面７から離れる方向に押込み、押し込み具４３が枢接部４３１をめぐらして、本体４１の基部４１１側面に枢転することによって、２つの係止部４３３を回転しながら回転台４２の収容溝４２１から抜け出す。さらに、係止部４３３を収容溝４２１から抜け出した後には、壁の表面７に係止され、てこの原理により、本体４１を壁の表面７から離れる方向に押込み、使用者は軽い力でベース組４を容易に抜け出すことができる。
【実施例５】
【００２１】
図２０を参照する。本考案の第５実施例と前述第４実施例と異なる点は、外部電源につなげるため、係るベース組６の本体６１は基部６１１の表面に挿入穴６１３を設けられている。
【符号の説明】
【００２２】
１、２、３、４、６                     ベース組
１１、２１、３１、４１、６１           本体
１１１、２１１、３１１、４１１、６１１ 基部
１１２、６１２                         支持アーム
１１３、２１３、３１３、４１３         電源コード
１２、２２、３２、４２、６２           回転台
１２１、２２１、３２１、４２１、６２１ 収容溝
１２２、２２２、３２２、４２２         とおり穴
１２３、２２３、３２３、４２３         取付ピン
１３、２３、３３、４３、６３           押し込み具
１３１、２３１、３３１、４３１、６３１ 枢接部
１３２、２３２、３３２、４３２、６３２ 押し込み部
１３３、２３３、３３３、４３３         係止部
１３４、２３４、３３４、４３４         枢接穴
１４、２４、３４、４４                 枢接ピン
５                                     端子組
５１                                   第１導電端子
５１１                                 取付穴
５２                                   第２導電端子
６１３                                 挿入穴
７                                     壁の表面
【図１】
0003199882.tif 000003
【図２】
0003199882.tif 000004
【図３】
0003199882.tif 000005
【図４】
0003199882.tif 000006
【図５】
0003199882.tif 000007
【図６】
0003199882.tif 000008
【図７】
0003199882.tif 000009
【図８】
0003199882.tif 000010
【図９】
0003199882.tif 000011
【図１０】
0003199882.tif 000012
【図１１】
0003199882.tif 000013
【図１２】
0003199882.tif 000014
【図１３】
0003199882.tif 000015
【図１４】
0003199882.tif 000016
【図１５】
0003199882.tif 000017
【図１６】
0003199882.tif 000018
【図１７】
0003199882.tif 000019
【図１８】
0003199882.tif 000020
【図１９】
0003199882.tif 000021
【図２０】
0003199882.tif 000022